(57)【要約】【課題】背景と潜像とを備え、目視により該潜像が視認されることを可及的に抑制できる偽造防止画像が印刷された印刷物を提案する。【解決手段】均一ピッチの網点又は万線からなる背景５と、該背景５に対して位相または角度をずらした網点又は万線からなる潜像６，７とを備え、さらに、背景５を形成した領域１５と異なる濃度の画像領域１８，１９ａ，１９ｂを形成する網点又は万線からなるカムフラージュ画像８を備えた偽造防止画像２が印刷されたものとしたから、該カムフラージュ画像８が際立ち、視る者の注意を惹き付け易くなるため、目視により潜像６，７を視認され難くできる。これにより、目視により潜像６，７が確認されてしまうことを可及的に抑制でき、真贋判定や偽造防止という作用効果が向上する。【選択図】図１
2015221518.tif 000002
【特許請求の範囲】
【請求項１】
均一なピッチの網点又は万線からなる背景と、該背景に対して位相または角度をずらした網点又は万線からなる一又は複数の潜像とを備えた偽造防止画像が印刷されてなり、該偽造防止画像に、均一なピッチの網点又は万線を備えた顕在化フィルタを重ね合わせることによって、前記潜像が顕在化して識別可能となるものであって、
前記偽造防止画像は、
前記潜像と少なくとも部分的に重なるように設けられ、前記背景を形成した領域と異なる濃度の画像領域を形成する網点又は万線からなるカムフラージュ画像を備えていることを特徴とする印刷物。
【請求項２】
均一なピッチの網点又は万線からなる背景と、該背景に対して位相または角度をずらした網点又は万線からなる一又は複数の潜像とを備えた偽造防止画像が印刷されてなり、該偽造防止画像に、均一なピッチの網点又は万線を備えた顕在化フィルタを重ね合わせることによって、前記潜像が顕在化して識別可能となるものであって、
前記偽造防止画像は、
前記潜像と近接するように設けられ、前記背景を形成した領域と異なる濃度の画像領域を形成する網点又は万線からなるカムフラージュ画像を備えていることを特徴とする印刷物。
【請求項３】
偽造防止画像は、カムフラージュ画像と潜像とが重なる領域における網点又は万線が、該カムフラージュ画像のみからなる領域と同等の濃度となるように形成され且つ該潜像と同じ位相または角度により形成されていることを特徴とする請求項１に記載の印刷物。
【請求項４】
偽造防止画像は、背景、潜像、およびカムフラージュ画像を白抜きした白抜き画像を備えていることを特徴とする請求項１乃至請求項３のいずれか１項に記載の印刷物。
【請求項５】
偽造防止画像は、背景を形成した領域と潜像のみを形成した領域との濃度差を２％以内に保持すると共に、背景を形成した領域とカムフラージュ画像を形成した領域との濃度差を５％以上に保持するように、白抜き画像が形成されていることを特徴とする請求項４に記載の印刷物。
【請求項６】
偽造防止画像は、顕在化フィルタを重ね合わせることによって、顕在化された潜像とカムフラージュ画像とが組み合わされた合同画像が生成されるようにしたものであることを特徴とする請求項１乃至請求項５のいずれか１項に記載の印刷物。
【請求項７】
偽造防止画像は、
背景、潜像、およびカムフラージュ画像が網点からなるものであって、
万線からなる顕在化フィルタを重ね合わせて該潜像を顕在化させた状態で、網点が、該顕在化フィルタの万線ピッチを超えないように該万線に沿って偏平化された形状をなすものであることを特徴とする請求項１乃至請求項６のいずれか１項に記載の印刷物。
【発明の詳細な説明】
【技術分野】
【０００１】
本発明は、有価証券や証明書等に使用される印刷物に関する。
【背景技術】
【０００２】
有価証券や証明書等には、真贋を判定するため又は偽造を防止するための画像を備えたものが種々提案されている。こうした偽造防止用の画像としては、万線状の背景と、該背景の万線に対してピッチをずらした潜像とを備え、万線フィルタを重ねることによって該潜像が顕在化するようにした構成が知られている（例えば、特許文献１）。これは、万線フィルタを重ね合わせることによって、背景を形成した領域と潜像を形成した領域との濃度差を大きく表し、該潜像を視認可能とするものである。こうした構成は、万線フィルタを偽造防止用の画像に重ねなければ、潜像を認識できないことから、該潜像により真贋を判定でき、偽造を防止する効果を奏し得る。
【先行技術文献】
【特許文献】
【０００３】
【特許文献１】特開２００１−２１３０４２号公報
【発明の概要】
【発明が解決しようとする課題】
【０００４】
ところで、上述した万線フィルタを重ね合わせる従来構成では、背景の万線と潜像の万線とのピッチがずれているだけであり、慣れた人が注意深く観察した場合に万線のずれを視認される可能性があり、潜像の存在と該潜像の内容とを確認できてしまう虞がある。こうして潜像の内容が確認されてしまうと、偽造可能となることから、真贋の判定や偽造の防止といった作用効果が低減する。そのため、潜像の存在や内容を可及的に視認し難くする構成が希求されていた。
【０００５】
本発明は、背景と潜像とを備えた画像であって、該潜像の存在と内容とが目視により確認されることを可及的に抑制可能な偽造防止画像を備えた印刷物を提案するものである。
【課題を解決するための手段】
【０００６】
本発明の第一発明は、均一なピッチの網点又は万線からなる背景と、該背景に対して位相または角度をずらした網点又は万線からなる一又は複数の潜像とを備えた偽造防止画像が印刷されてなり、該偽造防止画像に、均一なピッチの網点又は万線を備えた顕在化フィルタを重ね合わせることによって、前記潜像が顕在化して識別可能となるものであって、前記偽造防止画像は、前記潜像と少なくとも部分的に重なるように設けられ、前記背景を形成した領域と異なる濃度の画像領域を形成する網点又は万線からなるカムフラージュ画像を備えていることを特徴とする印刷物である。
【０００７】
また、本発明の第二発明は、均一なピッチの網点又は万線からなる背景と、該背景に対して位相または角度をずらした網点又は万線からなる一又は複数の潜像とを備えた偽造防止画像が印刷されてなり、該偽造防止画像に、均一なピッチの網点又は万線を備えた顕在化フィルタを重ね合わせることによって、前記潜像が顕在化して識別可能となるものであって、前記偽造防止画像は、前記潜像と近接するように設けられ、前記背景を形成した領域と異なる濃度の画像領域を形成する網点又は万線からなるカムフラージュ画像を備えていることを特徴とする印刷物である。
【０００８】
上記の第一発明および第二発明にあって、背景と潜像としては、両者を同じ万線からなるものとしたり、同じ網点からなるものとすることが好適である。これらの場合には、背景の万線または網点に対して潜像の万線または網点の位相をずらしたり（例えば、潜像の位相を背景に対して１／２ピッチ分ずらしたり）、背景に対して潜像の角度を所定角度（例えば４０度）ずらした構成とできる。さらには、万線からなる背景と網点からなる潜像とを備えた構成としたり、逆に網点からなる背景と万線からなる潜像とを備えた構成とすることが可能である。また、カムフラージュ画像としては、例えば、背景が万線からなる構成の場合、該背景の万線幅に比して幅広または幅狭な万線からなるもの、もしくは該背景の万線幅に比して網点径が大きいまたは小さい網点からなるものが好適である。同様に、背景が網点からなる構成の場合、該背景の網点径に比して幅広または幅狭な万線からなるもの、もしくは該背景の網点径に比して径大または径小な網点からなるものが好適である。さらにまた、カムフラージュ画像を形成した領域と、該カムフラージュ画像を形成しない領域とで、一方を万線、他方を網点からなるものとすることも可能である。例えば、第一発明の場合にあっては、背景を形成した領域と潜像のみを形成した領域（カムフラージュ画像と重ならない領域）とで、該背景と潜像とを万線（又は網点）からなるものとすると共に、潜像とカムフラージュ画像とが重なった領域とカムフラージュ画像のみを形成した領域とで、該潜像とカムフラージュ画像とを網点（又は万線）からなるものとすることができる。一方、第二発明の場合には、潜像とカムフラージュ画像とが重ならないことから、背景と潜像とを万線（又は網点）からなるものとし、カムフラージュ画像を網点（又は万線）からなるものとすることができる。
【０００９】
かかる第一発明および第二発明の構成にあっては、背景と濃度の異なるカムフラージュ画像が視認され易くなり、該カムフラージュ画像に視る者の注意（意識）を惹き付け易くなることから、該背景と潜像とのずれ（境界）を目立ち難くでき、該潜像を視認され難くできる。そのため、潜像の存在と内容とを隠す効果が向上し、目視により潜像が確認されてしまうことを可及的に抑制できる。したがって、本発明によれば、偽造防止画像による真贋判定や偽造防止という作用効果が向上する。
【００１０】
尚、カムフラージュ画像は、該カムフラージュ画像を形成した領域と背景を形成した領域との濃度差が５％以上となるように、網点または万線が形成される構成が好適である。こうした濃度差を定めることによって、上述したカムフラージュ画像に視る者の注意を惹き付けるという作用効果が一層正確かつ安定して発揮される。また、カムフラージュ画像は、視る者の注意（意識）を惹き付け易いものが好適であることから、様々なデザインの画像を設定できる。こうしたカムフラージュ画像によって、偽造防止画像が高いデザイン性を有するものとなり得る。
【００１１】
上述した第一発明の印刷物にあって、偽造防止画像は、カムフラージュ画像と潜像とが重なる領域における網点又は万線が、該カムフラージュ画像のみからなる領域と同等の濃度となるように形成され且つ該潜像と同じ位相または角度により形成されている構成が提案される。
【００１２】
かかる構成にあって、カムフラージュ画像と潜像とが重なる領域では、該カムフラージュ画像による作用効果と、潜像による作用効果との両者が発揮され得る。そのため、上述した本発明の作用効果が一層安定して発揮される。本構成で「カムフラージュ画像と潜像とが重なる」とは、両方の画像が混在することではなく、両方を兼ね備えた画像により表されることを意味する。
【００１３】
上述した本発明の印刷部にあって、偽造防止画像は、背景、潜像、およびカムフラージュ画像を白抜きした白抜き画像を備えている構成が提案される。
【００１４】
かかる構成にあっては、白抜き画像によって、背景と潜像との境界や潜像とカムフラージュ画像との境界などを一層目立たなくできるため、潜像を一層視認し難くできる。したがって、偽造防止画像による真贋判定や偽造防止という上述した本発明の作用効果が一層向上する。
【００１５】
上述した本発明の印刷部にあって、偽造防止画像は、背景を形成した領域と潜像のみを形成した領域との濃度差を２％以内に保持すると共に、背景を形成した領域とカムフラージュ画像を形成した領域との濃度差を５％以上に保持するように、白抜き画像が形成されている構成が提案される。
【００１６】
かかる構成にあっては、背景とカムフラージュ画像との濃度差が５％以上に担保されることにより、該カムフラージュ画像が背景（および潜像）に比して十分に目立って視認容易となることから、該カムフラージュ画像に視る者の注意を惹き付けるという効果が安定して生ずる。さらに、背景と潜像との濃度差が２％以内に担保されることにより、背景に対して該潜像の存在と内容とを隠すという効果が安定して生ずる。したがって、上述した本発明の作用効果が一層安定して発揮される。
【００１７】
ここで、背景を形成した領域とカムフラージュ画像を形成した領域との濃度差を５％以上に保持し、かつ背景を形成した領域と潜像のみを形成した領域との濃度差を２％以内に保持するためには、各濃度差が、白抜き画像を形成した場合と形成しない場合とで略同等となるようにした構成が好適である。尚、背景を形成した領域とカムフラージュ画像を形成した領域との濃度差としては、一般的に使用される万線や網点の濃度から考慮して５０％以下とすることが好適である。
【００１８】
上述した本発明の印刷物にあって、偽造防止画像は、顕在化フィルタを重ね合わせることによって、顕在化された潜像とカムフラージュ画像とが組み合わされた合同画像が生成されるようにしたものである構成が提案される。
【００１９】
かかる構成にあっては、合同画像を生成するための潜像とカムフラージュ画像との構成が複雑化することから、例え潜像の存在が分かった場合にあっても、偽造することが困難であり、偽造を防止するという本発明の作用効果が一層向上する。
【００２０】
上述した本発明の印刷物にあって、偽造防止画像は、背景、潜像、およびカムフラージュ画像が網点からなるものであって、万線からなる顕在化フィルタを重ね合わせて該潜像を顕在化させた状態で、網点が、該顕在化フィルタの万線ピッチを超えないように該万線に沿って偏平化された形状をなすものである構成が提案される。
【００２１】
かかる構成にあっては、顕在化フィルタを重ね合わせた状態で、顕在化する潜像を形成した領域と、該顕在化フィルタの万線に隠れる背景を形成した領域との濃度差が一層大きくなり、これら両領域の境界が一層はっきりと表れる。これにより、顕在化フィルタによって顕在化する潜像が一層明確に視認し易くなる。尚、カムフラージュ画像は、顕在化フィルタを重ね合わせた状態で、該カムフラージュ画像を形成した領域と潜像を形成した領域との濃度差を、前記した潜像と同様に大きくしたり、逆に小さくしたりするように形成可能である。
【発明の効果】
【００２２】
本発明の印刷物は、上述したように、カムフラージュ画像を備えた偽造防止画像が印刷されたものであるから、顕在化フィルタを重ねない常態で、カムフラージュ画像が視認され易く、目視により潜像を視認され難くできる。これにより、目視により潜像が確認されてしまうことを可及的に抑制でき、偽造防止画像による真贋判定や偽造防止という作用効果が向上する。
【図面の簡単な説明】
【００２３】
【図１】実施例１にかかる偽造防止画像２を拡大して示す説明図である。
【図２】偽造防止画像２を構成する背景５、潜像６，７、およびカムフラージュ画像８を分解して示す説明図である。
【図３】偽造防止画像２に顕在化フィルタ３１を重ね合わせ、第一潜像６を視認可能とした状態を示す説明図である。
【図４】偽造防止画像２に顕在化フィルタ３１を重ね合わせ、第二潜像７を視認可能とした状態を示す説明図である。
【図５】実施例２にかかる偽造防止画像４２を拡大して示す説明図である。
【図６】偽造防止画像４２に顕在化フィルタ３１を重ね合わせ、第一潜像４６を視認可能とした状態を示す説明図である。
【図７】偽造防止画像４２に顕在化フィルタ３１を重ね合わせ、第二潜像４７を視認可能とした状態を示す説明図である。
【図８】実施例３にかかる偽造防止画像６２を拡大して示す説明図である。
【図９】偽造防止画像６２に顕在化フィルタ３１を重ね合わせた状態を示す説明図である。
【図１０】実施例４にかかる偽造防止画像８２を拡大して示す説明図である。
【図１１】偽造防止画像８２に顕在化フィルタ３１を重ね合わせた状態を示す説明図である。
【図１２】実施例５にかかる偽造防止画像１０２を拡大して示す説明図である。
【図１３】偽造防止画像１０２に顕在化フィルタ３１を重ね合わせた状態を示す説明図である。
【発明を実施するための形態】
【００２４】
本発明にかかる実施形態を、以下の実施例１〜５に従って説明する。
【実施例１】
【００２５】
図１は、有価証券や証明書等に利用される印刷物１の紙面に印刷された偽造防止画像２を示す。この偽造防止画像２は、図１，２のように、背景５と、第一潜像６と、第二潜像７と、カムフラージュ画像８とから構成されており、さらに、背景５、潜像６，７、およびカムフラージュ画像８を白抜きした白抜き画像１０が形成されている。そして、本実施例１では、第一潜像６とカムフラージュ画像８とが部分的に重なり、第二潜像７とカムフラージュ画像８とが部分的に重なるように設けられている。
【００２６】
背景５は、均一ピッチで縦横に並べられた網点からなるものであり、該網点が並ぶ横方向（約０度方向）と縦方向（約９０度方向）とが略直交する。この背景５は、例えば、線数２４０線２５％の平網で印刷されており、該背景５を形成した領域１５では、該背景５による濃度が２５％である。
【００２７】
第一潜像６は、背景５と同じ線数で、該背景５に対して約３０度傾けた二方向（約３０度方向と約１２０度方向）に均一に並べられた網点からなるものであり、縦長矩形状に形成されている。ここで、第一潜像６のみからなる領域１６では、背景５の形成領域１５と同じ濃度２５％となるように、該背景５と同じ網点径の網点からなる。一方、上記したカムフラージュ画像８と第一潜像６とが重なる領域１９ａでは、カムフラージュ画像８の形成領域１８と同じ濃度１１％となるように、背景５よりも網点径の小さい網点からなる。
【００２８】
第二潜像７は、背景５と同じ線数で、該背景５に対して約６０度傾けた二方向（約６０度方向と約１５０度方向）に均一に並べられた網点からなるものであり、横長矩形状に形成されている。ここで、第二潜像７のみからなる領域１７では、背景５の形成領域１５と同じ濃度２５％となるように、該背景５と同じ網点径の網点からなる。一方、上記したカムフラージュ画像８と第二潜像７とが重なる領域１９ｂでは、カムフラージュ画像８の形成領域１８と同じ濃度１１％となるように、背景５よりも網点径の小さい網点からなる。
【００２９】
カムフラージュ画像８は、背景５よりも網点径の小さい網点を並べたものであり、円環形状に形成されている。このカムフラージュ画像８は、例えば線数２４０線１１％であり、該カムフラージュ画像８を形成した領域１８，１９ａ，１９ｂでは、背景５を形成した領域１５に比して濃度が低い。同様に、カムフラージュ画像８を形成した領域１８，１９ａ，１９ｂでは、第一潜像６のみからなる領域１６と第二潜像７のみからなる領域１７とに比べても濃度が低い。こうした濃度差により、カムフラージュ画像８は、偽造防止画像２で最も目立って表れ、比較的容易に視認することができる。
【００３０】
ここで、カムフラージュ画像８は、該カムフラージュ画像８のみからなる領域１８で、上記した網点径の小さい網点が、背景５と同様に縦横（約０度方向と約９０度方向）に均一に並べられてなる。一方、カムフラージュ画像８と第一潜像６とが重なる領域１９ａでは、上記した網点径の小さい網点が、背景５に対して約３０度傾けた二方向（約３０度方向と約１２０度方向）に均一に並べられてなり、カムフラージュ画像８と第二潜像７とが重なる領域１９ｂでは、網点径の小さい網点が、背景５に対して約６０度傾けた二方向（約６０度方向と約１５０度方向）に均一に並べられてなる。すなわち、カムフラージュ画像８と第一潜像６とが重なる領域１９ａでは、該カムフラージュ画像８と第一潜像６との両方を兼ね備えた構成からなり、これら両方の機能を有する。カムフラージュ画像８と第二潜像７とが重なる領域１９ｂは、該カムフラージュ画像８と第二潜像７との両方を兼ね備えた構成からなり、これら両方の機能を有する。
【００３１】
白抜き画像１０は、線条が鋭角に折り返されて繰り返し連続する地紋からなり、上記した背景５、潜像６，７、およびカムフラージュ画像８を夫々構成する網点を白抜きする。ここで、白抜き画像１０は、背景５の形成領域１５と潜像６，７のみの各形成領域１６，１７との濃度差が２％以内の範囲に収まるように、さらに、背景５の形成領域１５とカムフラージュ画像８の形成領域１８，１９ａ，１９ｂとの濃度差が５％以上となるように、形成されている。具体的には、背景５の形成領域１５と潜像６，７のみの各形成領域１６，１７との濃度差を１％以内とし、背景５の形成領域１５とカムフラージュ画像８の形成領域１８，１９ａ，１９ｂとの濃度差を約１４％としている。こうした各濃度差を保持するように、白抜き画像１０の形状寸法や形成位置が設定されている。尚、本実施例の場合には、仮に白抜き画像１０を形成しない構成とした場合と、白抜き画像１０を形成した本実施例１の構成とで、背景５の形成領域１５と潜像６，７のみの各形成領域１６，１７との濃度差を略同等とし、かつ背景５の形成領域１５とカムフラージュ画像８の形成領域１８，１９ａ，１９ｂとの濃度差を略同等とするように、白抜き画像１０が形成されている。そして、白抜き画像１０の有無による、背景５、潜像６，７、およびカムフラージュ画像８の減少率は約１６％となるようにしている。
【００３２】
こうした本実施例１の偽造防止画像２に、図３，４のように、均一なピッチの万線からなる顕在化フィルタ３１を重ね合わせる。ここで、健在化フィルタ３１は、透明な樹脂フィルタに、所定ピッチで所定幅の万線が印刷されてなるものであり、例えば、０．１０ｍｍピッチで線幅０．０６ｍｍの万線が印刷される。この顕在化フィルタ３１を、図３のように、偽造防止画像２に重ね合わせて、背景５を形成した領域１５と第一潜像６を形成した領域１６，１９ａとの濃度差が常態（顕在化フィルタ３１を重ねない状態）よりも大きくなる所定の位置とすることによって、第一潜像６が顕在化する。これにより、第一潜像６を視認でき、識別できる。さらに、図４のように、重ね合わせた顕在化フィルタ３１を、背景５を形成した領域１５と第二潜像７を形成した領域１７，１９ｂとの濃度差が常態よりも大きくなる所定の位置とすることによって、第二潜像７が顕在化する。これにより、第二潜像７を視認でき、識別できる。尚、第一潜像６が顕在化する所定の位置に顕在化フィルタ３１を重ね合わせた状態では、背景を形成した領域１５と、第一潜像６を形成した領域１６，１９ａとの濃度差が５％以上となるようにする。同様に、第二潜像７が顕在化する所定の位置に顕在化フィルタ３１を重ね合わせた状態では、背景を形成した領域１５と、第二潜像７を形成した領域１７，１９ｂとの濃度差が５％以上となるようにする。
【００３３】
本実施例１の印刷物１は、その偽造防止画像２に顕在化フィルタ３１を重ね合わせなければ、第一潜像６と第二潜像７とを視認できないことから、これにより真贋判定を行うことができると共に、偽造を防止することができる。さらに、偽造防止画像２はカムフラージュ画像８を備えていることから、顕在化フィルタ３１を重ねていない常態では、該カムフラージュ画像８が際立つことから、視る者の注意（意識）を該カモフラージュ画像８に惹き付け易く、背景５と潜像６，７との角度のずれを目立ち難くできる。これは、カモフラージュ画像８が際立つことによって、視る者に、背景５と潜像６，７との境界で生ずる違和感を可及的に軽減できることに因る。これにより、目視により潜像６，７の存在と内容とを視認することが極めて難しくなり、該潜像６，７を可及的に隠すことができるため、顕在化フィルタ３１を使用する真贋判定や偽造防止という作用効果が向上する。
【００３４】
さらに、白抜き画像１０によって、上記した背景５と潜像６，７との境界による違和感を一層軽減することができるため、該潜像６，７を隠す効果が一層向上し、真贋判定や偽造防止という作用効果が一層向上する。
【００３５】
尚、本実施例１にあって、本発明にかかる潜像が、第一潜像６と第二潜像７とによって夫々実現されている。また、カムフラージュ画像８を形成した領域１８，１９ａ，１９ｂにより、本発明にかかる「背景を形成した領域と異なる濃度の画像領域」が構成されている。
【実施例２】
【００３６】
実施例２は、図５〜７のように、万線からなる偽造防止画像４２が印刷された印刷物４１である。実施例２の偽造防止画像４２は、背景４５、第一潜像４６、第二潜像４７、カムフラージュ画像４８が夫々万線により形成されたものであり、実施例１と同様に白抜き画像５０が形成されてなる。尚、実施例２の構成は、背景４５、第一潜像４６、第二潜像４７、カムフラージュ画像４８を万線により形成した以外は上述した実施例１と同様の構成であることから、適宜説明を省略する。
【００３７】
背景４５は、均一ピッチの万線からなるものであり、例えば、ピッチ０．１ｍｍ万線幅０．０６ｍｍの万線が印刷されている。この背景４５を形成した領域５５の濃度は６０％である。第一潜像４６は、背景４５と同じピッチで、該背景４５に対して１／２ピッチ分だけ位相をずらした万線からなるものであり、縦長矩形状に形成されている。ここで、第一潜像４６のみを形成した領域５６では、背景４５と同じ万線幅の万線により形成され、第一潜像４６とカムフラージュ画像４８とが重なる領域５９ａでは、背景４５よりも万線幅の狭い万線（万線幅０．０５ｍｍ）からなる。また、第二潜像４７は、第一潜像４６と同様に、背景４５と同じピッチで、該背景４５に対して１／２ピッチ分だけ位相をずらした万線からなるものであり、横長矩形状に形成されている。ここで、第二潜像４７のみを形成した領域５７では、背景４５と同じ万線幅の万線により形成され、第二潜像４７とカムフラージュ画像４８とが重なる領域５９ｂでは、背景４５よりも万線幅の狭い万線（万線幅０．０５ｍｍ）からなる。
【００３８】
カムフラージュ画像４８は、背景４５よりも万線幅の狭い万線を該背景４５と同じピッチで形成したものであり、円環形状に形成されている。例えば、カムフラージュ画像４８は、ピッチ０．１ｍｍ万線幅０．０５ｍｍの万線が印刷されてなる。こうしたカムフラージュ画像４８が形成された領域５８，５９ａ，５９ｂは、その濃度が５０％であり、背景を形成した領域５５、第一潜像４６のみを形成した領域５６、および第二潜像４７のみを形成した領域５７に比して、濃度が低い。ここで、カムフラージュ画像４８は、該カムフラージュ画像４８のみからなる領域５８で、背景４５と同じ位相の万線からなり、第一潜像４６と重なる領域５９ａで、背景４５に対して１／２ピッチ分だけ位相をずらした万線からなり、第二潜像４７と重なる領域５９ｂで、背景４５に対して１／２ピッチ分だけ位相位相をずらした万線からなる。
【００３９】
白抜き画像５０は、上述した実施例１と同様の地紋からなり、背景４５の形成領域５５と潜像４６，４７のみの各形成領域４６，４７との濃度差が２％以内の範囲に収まるように、さらに、背景４５の形成領域５５とカムフラージュ画像４８の形成領域５８，５９ａ，５９ｂとの濃度差が５％以上となるように、形成されている。尚、本実施例２にあっても、上述した実施例１と同様に、背景４５の形成領域５５と潜像４６，４７のみの各形成領域４６，４７との濃度差を１％以内とし、背景４５の形成領域５５とカムフラージュ画像４８の形成領域５８，５９ａ，５９ｂとの濃度差を約１４％としている。
【００４０】
本実施例２の偽造防止画像４２に、上述した実施例１と同様の顕在化フィルタ３１を重ね合わせて、図６のように、該顕在化フィルタ３１を、背景４５を形成した領域５５と第一潜像４６を形成した領域５６，５９ａとの濃度差が常態よりも大きくなる所定の位置とすることによって、第一潜像４６を顕在化させて視認できる。さらに、図７のように、重ね合わせた顕在化フィルタ３１を、背景４５を形成した領域５５と第二潜像４７を形成した領域４７，５９ｂとの濃度差が常態よりも大きくなる所定の位置に移動させることによって、第二潜像４７を顕在化させて視認できる。
【００４１】
本実施例２の印刷物４１は、上述した実施例１と同様に、顕在化フィルタ３１を重ね合わせることによって真贋判定ができ、偽造を防止することができる。さらに、カムフラージュ画像４８が常態で際立つことから、視る者の注意を該カモフラージュ画像４８に惹き付け易く、背景４５と潜像４６，４７との位相のずれを目立ち難くできる。これにより、目視により潜像４６，４７の存在と内容とを視認し難くできるため、該潜像４６，４７を用いた真贋判定や偽造防止という作用効果が向上する。さらに、白抜き画像５０によって、上述した実施例１と同様に、前記の真贋判定と偽造防止という作用効果がさらに向上する。
【００４２】
尚、本実施例２にあって、本発明にかかる潜像が、第一潜像４６と第二潜像４７とによって夫々実現されている。また、カムフラージュ画像４８を形成した領域５８，５９ａ，５９ｂにより、本発明にかかる「背景を形成した領域と異なる濃度の画像領域」が構成されている。
【実施例３】
【００４３】
実施例３は、図８，９のように、網点からなる偽造防止画像６２が印刷された印刷物６１である。実施例３の偽造防止画像６２は、背景６５、潜像６６、カムフラージュ画像６８が夫々網点により形成され、さらに白抜き画像７０が形成されてなる。ここで、カムフラージュ画像６８は、潜像６６に近接する位置に形成されており、両者が重なっていない。尚、実施例３の構成は、一の潜像６６を備えかつ該潜像６６とカムフラージュ画像６８とが近接するようにした以外は上述した実施例１と同様の構成であることから、適宜説明を省略する。
【００４４】
背景６５は、上述した実施例１と同じ線数と濃度の網点が縦方向と横方向とに均一に並んで形成されてなる。カムフラージュ画像６８は、上述した実施例１と同じ線数と濃度の網点から形成されており、前記背景６５よりも網点径の小さい網点が該背景６５と同じ位相で且つ同じ縦方向（約９０度方向）と横方向（約０度方向）とに均一に並べられている。
【００４５】
潜像６６は、前記カムフラージュ画像６８の円環の内側に、略Ｌ字形状に形成されており、前記背景６５を同じ線数と濃度で、且つ同じ縦横二方向（約０度方向と約９０度方向）に均一に並べられた網点からなる。そして、潜像６６は、背景６５に対して１／２ピッチ分だけ位相を縦方向にずらして形成されている。
【００４６】
こうした潜像６６を形成した領域７６と背景６５を形成した領域７５とは、略同じ濃度であることから、該潜像６６が目立たない。一方、カムフラージュ画像６８を形成した領域７８は、背景６５を形成した領域７５および潜像６６を形成した領域７６に比して濃度が低いことから、該カムフラージュ画像６８が際だって比較的容易に視認できる。
【００４７】
白抜き画像７０は上述した実施例１と同様の地紋からなり、背景６５の形成領域７５と潜像６６の形成領域７６との濃度差が２％以内の範囲に収まるように、さらに、背景６５の形成領域７５とカムフラージュ画像６８の形成領域７８との濃度差が５％以上となるように、白抜き画像７０が形成されている。尚、本実施例３にあっても、上述した実施例１と同様に、背景６５の形成領域７５と潜像６６の形成領域７６との濃度差を１％以内とし、背景６５の形成領域７５とカムフラージュ画像６８の形成領域７８との濃度差を約１４％としている。
【００４８】
本実施例３の偽造防止画像６２に、上述した実施例１と同様の顕在化フィルタ３１を重ね合わせて、図９のように、該顕在化フィルタ３１を、背景６５を形成した領域７５と潜像６６を形成した領域７６との濃度差が常態よりも大きくなる所定の位置とすることによって、潜像６６を顕在化して視認できる。
【００４９】
本実施例３の印刷物６１は、上述した実施例１と同様に、顕在化フィルタ３１を重ね合わせることによって真贋判定ができ、偽造を防止することができる。さらに、カムフラージュ画像６８が常態で際立つことから、視る者の注意を該カムフラージュ画像６８に惹き付け易く、該カムフラージュ画像６８に近接する潜像６６と背景との位相のずれを目立ち難くできる。これにより、目視により潜像６６の存在と内容とを視認し難くできるため、該潜像６６を用いた真贋判定や偽造防止という作用効果が向上する。このように上述した実施例１と同様の作用効果を奏する。
【００５０】
尚、本実施例３にあって、カムフラージュ画像６８を形成した領域７８により、本発明にかかる「背景を形成した領域と異なる濃度の画像領域」が構成されている。
【実施例４】
【００５１】
実施例４は、図１０，１１のように、網点からなる偽造防止画像８２が印刷された印刷物８１であり、該偽造防止画像８２は、上述した実施例１と同様に、背景８５、潜像８６，８７、カムフラージュ画像８８、および白抜き画像９０から構成されている。ここで、潜像８６，８７とカムフラージュ画像９８とは互いに近接する位置に形成され、重なっていない。
【００５２】
背景８５は、上述した実施例１と同じ線数および濃度の網点が縦方向と横方向とに均一に並んで形成されてなる。カムフラージュ画像８８は、背景８５よりも網点径の小さい網点を縦横方向に均一に並べたものであり、実施例１と同じ円環状に形成されている。そして、このカムフラージュ画像８８は、前記背景８５に対して縦方向に１／２ピッチ分だけ位相をずらして形成されている。こうしたカムフラージュ画像８８を形成した領域９８は、背景８５を形成した領域９５および潜像８６，８７を形成した領域９６，９７に比して、濃度が低い。そのため、カムフラージュ画像８８を形成した領域９８は、常態で際立って比較的容易に視認できる。
【００５３】
潜像８６，８７は、背景８５と同じ線数で且つ同じ縦横方向に並べられた網点を、該背景８５に対して縦方向に１／２ピッチ分だけ位相をずらしてなるものであり、カムフラージュ画像８８の円環の内側に、互いに左右逆向きの円弧形状に夫々形成されている。ここで、潜像８６を形成した領域９６および潜像８７を形成した領域９７は、背景８５を形成した領域９５と同じ濃度となるように、背景８５と同じ網点径の網点からなる。
【００５４】
白抜き画像９０は上述した実施例１と同様の地紋からなり、背景８５の形成領域９５と潜像８，８７の形成領域８６，８７との濃度差が２％以内の範囲に収まるように、さらに、背景８５の形成領域９５とカムフラージュ画像８８の形成領域９８との濃度差が５％以上となるように、該白抜き画像９０が形成されている。
【００５５】
本実施例４の偽造防止画像８２に、上述した実施例１と同じ顕在化フィルタ３１を重ね合わせ、図１１のように、該顕在化フィルタ３１を、背景８５を形成した領域８５と潜像８６，８７を形成した領域９６，９７との濃度差が常態よりも大きくなる所定の位置とすることによって、潜像８６，８７を顕在化させて視認できる。ここで、カムフラージュ画像８８は、潜像８６，８７と同様に、背景８５に対して１／２ピッチ分だけ縦方向に位相をずらしてなるものであることから、前記のように顕在化フィルタ３１を重ね合わせた状態で、カムフラージュ画像８８を形成した領域９８と背景８５を形成した領域８５との間にも濃度差が生ずる。これにより、顕在化フィルタ３１を重ね合わせて潜像８６，８７を顕在化した状態で、背景８５よりもカムフラージュ画像８８がはっきりとし、該潜像８６，８７とカムフラージュ画像８８とが視認可能となる。そのため、潜像８６，８７とカムフラージュ画像８８とが組み合わされたボール形状の合同画像８９が生成される。
【００５６】
本実施例４の印刷物８１は、上述した実施例１と同様に、顕在化フィルタ３１を重ね合わせることによって真贋判定ができ、偽造を防止することができる。さらに、カムフラージュ画像８８が常態で際立つことから、視る者の注意を該カムフラージュ画像８８に惹き付け易く、該カムフラージュ画像８８に近接する潜像８６，８７と背景８５との位相のずれを目立ち難くできる。これにより、目視により潜像８６，８７の存在と内容とを視認し難くできるため、該潜像８６，８７を用いた真贋判定や偽造防止という作用効果が向上する。さらに、顕在化フィルタ３１を重ね合わせることにより、潜像８６，８７とカムフラージュ画像８８とからなる合同画像８９が生成されて視認可能となるようにしており、こうした合同画像８９を生成するためには、潜像８６，８７とカムフラージュ画像８８とを比較的複雑に設定することを要する。そのため、これを偽造することは極めて難しく、偽造防止効果が一層向上する。また、こうした合同画像８９を視認することによって真贋判定の精度を向上できるという作用効果も奏する。
【００５７】
尚、本実施例４にあって、カムフラージュ画像８８を形成した領域９８により、本発明にかかる「背景を形成した領域と異なる濃度の画像領域」が構成されている。
【実施例５】
【００５８】
実施例５は、図１２，１３のように、網点からなる偽造防止画像１０２が印刷された印刷物１０１であり、該偽造防止画像１０２は、上述した実施例１と同様に、背景１０５、潜像１０６、カムフラージュ画像１０８、および白抜き画像１１０から構成されている。
【００５９】
背景１０５は、縦方向（約９０度方向）に対して右側に約１０度傾けた方向（約８０度方向）と横方向（約０度方向）に対して下側に約１０度傾けた方向（約−１０度方向）との二方向に、均一ピッチで並べられた網点からなるものであり、上述した実施例１と同じ線数および濃度で形成されている。カムフラージュ画像１０８は、背景１０５よりも網点径の小さい網点を、該背景１０５と同じ位相で且つ該背景１０５と同じ二方向（約８０度方向と約−１０度方向）に均一に並べたものであり、実施例１と同じ線数および濃度で円環状に形成されている。そのため、カムフラージュ画像１０８を形成した領域１１８は、背景１０５を形成した領域１１５および潜像１０６を形成した領域１１６に比して、濃度が低い。
【００６０】
潜像１０６は、背景１０５と同じ線数および濃度で且つ同じ二方向（約８０度方向と約−１０度方向）に均一に並べられた網点を、該背景１０５に対して縦方向に１／２ピッチ分だけ位相をずらしてなるものであり、実施例３と同様にカムフラージュ画像１０８の円環内側に略Ｌ字形状に形成されている。ここで、潜像１０６は、該潜像１０６を形成した領域１１６と背景１０５を形成した領域１０５とが同じ濃度となるように、背景１０５と同じサイズの網点からなる。
【００６１】
ここで、背景１０５、潜像１０６、およびカムフラージュ画像１０８の各網点は、その並設された一方向（約８０度方向）に沿って偏平化させた楕円形状をなす。具体的には、背景１０５および潜像１０６の各網点は、その楕円形の短軸径が、上述した顕在化フィルタ３１の万線間隔（ピッチ）と略同じになるように設定される。そして、これら網点の楕円形の長軸径は、実施例１と同じ線数および濃度となるように、該実施例１の網点径よりも大きく設定される。また、カムフラージュ画像１０８の網点は、実施例１と同様の濃度差を保持するように、背景１０５および潜像１０６の網点と割合で短軸径と長軸径とを設定した楕円形としている。こうした潜像１０６の網点は、顕在化フィルタ３１を重ね合わせた状態で、該顕在化フィルタ３１の万線間隔を超えず、該万線間隔内に収まり得る。そして、背景１０５およびカムフラージュ画像１０８の各網点は、顕在化フィルタ３１を重ね合わせた状態で、該顕在化フィルタ３１の万線間隔を超えず、該万線によって完全に隠れ得る。
【００６２】
白抜き画像１１０は、上述した実施例１と同様の地紋からなり、上記の各形成領域１１５，１１６，１１８の濃度差が実施例１と同様に保たれるように形成されている。
【００６３】
尚、本実施例５の構成は、背景１０５、潜像１０６、およびカムフラージュ画像１０８を傾斜させた二方向（約８０度方向および約−１０度方向）に並べた網点から形成し、これら各網点を偏平化形状（楕円形状）とした以外は、上述した実施例３と同じ構成であるから、その説明を適宜省略する。
【００６４】
本実施例５の偽造防止画像１０２に上述した実施例１と同じ顕在化フィルタ３１を重ね合わせ、図１３のように、該顕在化フィルタ３１を、背景１０５を形成した領域１１５と潜像１０６を形成した領域１１６との濃度差が常態よりも大きくなる所定の位置とすることによって、該潜像１０６を顕在化させて視認できる。この際に、潜像１０６の網点が該顕在化フィルタ３１の万線間隔内に収まると共に、背景１０５およびカムフラージュ画像１０８の網点が該顕在化フィルタ３１の万線に完全に隠れてしまうことから、前記濃度差が一層顕著に表れ、潜像１０６と背景１０５およびカムフラージュ画像１０８との境界が一層はっきり表れる。これにより、潜像１０６が明確化され、一層視認し易くなる。
【００６５】
さらに、本実施例５の印刷物１０１は、上述した実施例１と同様に、真贋判定と偽造防止という作用効果を奏する。さらに、カムフラージュ画像１０８が常態で際立つことから、背景１０５と潜像１０６との位相のずれを目立ち難くでき、目視により潜像１０６の存在と内容とを視認し難くできる。
【００６６】
尚、本実施例５にあって、カムフラージュ画像１０８を形成した領域１１８により、本発明にかかる「背景を形成した領域と異なる濃度の画像領域」が構成されている。
【００６７】
上述した実施例３，４の構成にあっては、背景、潜像、およびカムフラージュ画像を網点により形成したものであるが、実施例２と同様に万線により形成することもできる。また、実施例１〜５の構成にあっては、背景、潜像、およびカムフラージュ画像を全て網点または万線により形成したものであるが、網点からなる画像と万線からなる画像とを混在するようにしても良い。例えば、実施例３の構成にあって、背景と潜像とを万線により形成し、カムフラージュ画像を網点により形成するようにしても良い。さらにまた、実施例１〜５の構成にあって、カムフラージュ画像を形成した領域と、該カムフラージュ画像を形成しない領域とで、一方を万線、他方を網点からなるものとすることもできる。例えば、実施例３〜５の構成にあって、背景と潜像とを万線（又は網点）により形成すると共に、カムフラージュ画像を網点（又は万線）により形成するようにしても良い。一方、実施例１の構成にあって、背景の形成領域１５、第一潜像のみからなる領域１６、および第二潜像のみからなる領域１７で、該背景と第一潜像と第二潜像とを万線（又は網点）により形成する。そして、カムフラージュ画像の形成領域１８、該カムフラージュ画像と第一潜像とが重なる領域１９ａ、および該カムフラージュ画像と第二潜像とが重なる領域１９ｂで、カムフラージュ画像と第一潜像と第二潜像とを網点（又は万線）により形成するようにしても良い。これと同様に、実施例２の構成にあっても万線と網点とを設定できる。
【００６８】
また、実施例１，３，４の構成は、背景に対して角度をずらした潜像を形成するようにしたが、実施例２と同様に、背景に対して位相をずらした潜像を形成するようにしても良い。同様に、実施例２の構成を、背景に対して角度をずらした潜像を形成するようにしても良い。
【００６９】
本発明にあっては、上述した実施例に限定されるものではなく、上述の実施例以外の構成についても本発明の趣旨の範囲内で適宜変更して実施可能である。
【符号の説明】
【００７０】
１，４１，６１，８１，１０１  印刷物
２，４２，６２，８２，１０２  偽造防止画像
５，４５，６５，８５，１０５  背景
６，４６，８６  第一潜像（潜像）
７，４７，８７  第二潜像（潜像）
８，４８，６８，８８，１０８  カムフラージュ画像
１０，５０，７０，９０，１１０  白抜き画像
３１  顕在化フィルタ
６６，１０６  潜像
９９  合同画像
【図１】
2015221518.tif 000003
【図２】
2015221518.tif 000004
【図３】
2015221518.tif 000005
【図４】
2015221518.tif 000006
【図５】
2015221518.tif 000007
【図６】
2015221518.tif 000008
【図７】
2015221518.tif 000009
【図８】
2015221518.tif 000010
【図９】
2015221518.tif 000011
【図１０】
2015221518.tif 000012
【図１１】
2015221518.tif 000013
【図１２】
2015221518.tif 000014
【図１３】
2015221518.tif 000015